(57)【要約】【課題】入力パネル側の配線を不要として、設置の自由度の高い入力パネルシステムを提供することを目的とする。【解決手段】複数の無線ＩＣタグ１３、１４、１５と無線ＩＣタグ通信手段１２を備え、前記無線ＩＣタグ１３に指などの人体の一部が接触する事により電波が遮断され、１個もしくは複数の無線ＩＣタグが人体と接触していることを検出し特定するようにしたものである。これにより、設置の自由度の高い入力パネルを提供することができる。【選択図】図１
2006058997.tif 000002
【特許請求の範囲】
【請求項１】
所定の周波数帯を使用する識別可能な複数の無線ＩＣタグと無線ＩＣタグ通信手段を備え、前記無線ＩＣタグに指などの人体の一部が接触する事により電波が遮断され、１個もしくは複数の無線ＩＣタグが人体と接触していることを検出し特定する入力パネルシステム。
【請求項２】
指などの人体の一部に代えて電波遮蔽手段を有し、１個もしくは複数の無線ＩＣタグが遮蔽されていることを検出し特定する請求項１に記載の入力パネルシステム。
【請求項３】
無線ＩＣタグを自由に配置可能な請求項１または２に記載の入力パネルシステム。
【発明の詳細な説明】
【技術分野】
【０００１】
本発明は、無線ＩＣタグを用いた入力パネルシステムに関するものである。
【背景技術】
【０００２】
従来、入力パネルとして抵抗膜を有する２枚の絶縁パネルと、抵抗膜に接続された電極と、電極までの配線を有し、パネルが押下された場合に２枚のパネルが一点で互いに電気的に接触する構造を有する抵抗膜方式の手法が用いられる（例えば、特許文献１参照）。
【特許文献１】特開平１０−０９１３５１号公報
【発明の開示】
【発明が解決しようとする課題】
【０００３】
しかしながら、前記従来の構成では、入力パネル側に電極を駆動し接触を検出するための配線が必要であるという課題があった。
【０００４】
本発明は、前記従来の課題を解決するもので、入力パネル側の配線を不要として、設置の自由度の高い入力パネルシステムを提供することを目的とする。
【課題を解決するための手段】
【０００５】
前記従来の課題を解決するために、本発明の入力パネルシステムは、複数の無線ＩＣタグと無線ＩＣタグ通信手段を備え、前記無線ＩＣタグに指などの人体の一部が接触する事により電波が遮断され、１個もしくは複数の無線ＩＣタグが人体と接触していることを検出し特定するようにしたものである。
【０００６】
これにより、入力パネル側の配線を不要として、設置の自由度の高い入力パネルシステムが提供できる。
【発明の効果】
【０００７】
本発明の入力パネルシステムは、入力パネル側の配線を不要として、設置の自由度の高い入力パネルシステムが提供できる。
【発明を実施するための最良の形態】
【０００８】
第１の発明は、２．５ＧＨｚ帯を使用する識別可能な複数の無線ＩＣタグと無線ＩＣタグ通信手段を備え、２．５ＧＨｚ帯が人体など水分に吸収されやすい特性を利用し、前記無線ＩＣタグに指などの人体の一部が接触する事により電波が遮断され、１個もしくは複数の無線ＩＣタグが人体と接触していることを検出し特定する入力パネルシステムとしたことにより、入力パネル側の配線を不要として、設置の自由度の高い入力パネルシステムが提供できる。
【０００９】
第２の発明は、特に、第１の発明において、指などの人体の一部に代えて電波遮蔽手段を有し、パネルへの接触を検出し特定するようにしたことにより、第１の発明と同等の効果を得ることができる。
【００１０】
第３の発明は、特に、第１または第２の発明において、無線ＩＣタグを自由に配置可能にしたことにより、配置の自由度を大きくしたものである。
【００１１】
以下、本発明の実施の形態について、図面を参照しながら説明する。なお、この実施の形態によって本発明が限定されるものではない。
【００１２】
（実施の形態１）
図１は、本発明の実施の形態１における入力パネルシステムを示すものである。
【００１３】
図１に示すように、本実施の形態における入力パネルシステムは、入力パネル本体１１と、無線ＩＣタグ通信手段１２と、複数の無線ＩＣタグ１３、１４、１５とを備えている。
【００１４】
前記無線ＩＣタグ１３、１４、１５は前記無線ＩＣタグ通信手段１２から放射される無線電波により非接触で給電されると同時に任意の識別データを前記前記無線ＩＣタグ通信手段１２と通信している。
【００１５】
以上のように構成された入力パネルシステムにおいて、以下その動作、作用を説明する。
【００１６】
まず、定常時には無線ＩＣタグ通信手段１２は無線ＩＣタグ１３、１４、１５の識別データを通信しており無線ＩＣタグ１３、１４、１５の存在を検出している。
【００１７】
次に指や手などの人体の一部で無線ＩＣタグ１３を押さえた場合、無線ＩＣタグから発射されている２．５ＧＨｚ帯の電波は指などの人体の一部に含まれる水分に吸収される。無線ＩＣタグ通信手段１２は無線ＩＣタグ１３からの識別信号を受信できなくなり無線ＩＣタグ１３が通信不可能であることを検出する。
【００１８】
なお、本発明の実施の形態においては、無線ＩＣタグ１３、１４、１５は指などの人体の一部で覆い隠せるほどの大きさでなくてはならない。
【００１９】
（実施の形態２）
図２は、本発明の実施の形態２における入力パネルシステムの電波遮蔽手段の断面図をを示すものである。
【００２０】
図に示すように、本実施の形態においては、実施の形態１の無線ＩＣタグを指などの人体の一部で電波遮蔽する代わりに電波遮蔽物２１としたものである。可動部２２は電波遮蔽物２１と無線ＩＣタグ１３との距離を定常時に保持し、無線ＩＣタグ通信手段との通信を確保するためのものである。
【００２１】
以上のように構成された入力パネルシステムにおいて、以下その動作、作用を説明する。
【００２２】
まず、定常時には無線ＩＣタグ通信手段１２は無線ＩＣタグ１３の識別データを受信しており無線ＩＣタグ１３の存在を検出している。次に指などで電波遮蔽物２１を押下した場合、無線ＩＣタグから発射されている電波は電波遮蔽物２１によって遮蔽される。無線ＩＣタグ通信手段１２は無線ＩＣタグ１３からの識別信号を受信できなくなり無線ＩＣタグ１３が通信不可能であることを検出する。
【００２３】
なお、本発明の実施の形態においては、電波遮蔽物２１は任意の大きさでよい。
【００２４】
（実施の形態３）
次に、本発明の実施の形態３における入力パネルシステムについて説明する。
【００２５】
本実施の形態においては、無線ＩＣタグ通信手段１２は無線ＩＣタグ１３、１４、１５との通信が確保できる範囲で距離を取ることも可能であるし、入力パネル１１の背面に設置してもよいものである。また無線ＩＣタグを自由に配置可能とする。これにより、任意の形状の入力パネルを構成することができる。
【００２６】
なお、各実施の形態において、無線ＩＣタグ通信手段１２と無線ＩＣタグ１３、１４、１５との通信が確保できる範囲は約１ｍであり小型のものだけでなく通信が確保できる範囲で大型のものを構成してもよい。
【産業上の利用可能性】
【００２７】
以上のように、本発明における入力パネルシステムは、入力パネルに配線の必要がなく、無線ＩＣタグや無線ＩＣタグ通信手段を任意の位置に配置できるので薄型の入力パネルを要求される民生機器全般に適用することができる。
【図面の簡単な説明】
【００２８】
【図１】本発明の実施の形態１における入力パネルシステムの概略図
【図２】本発明の実施の形態２における入力パネルシステムの電波遮蔽手段の断面図
【符号の説明】
【００２９】
１１  入力パネル本体
１２  無線ＩＣタグ通信手段
１３  無線ＩＣタグ１
１４  無線ＩＣタグ２
１５  無線ＩＣタグ３
２１  電波遮蔽物（電波遮蔽手段）
２２  可動部
【図１】
2006058997.tif 000003
【図２】
2006058997.tif 000004